(57)【要約】【課題】  ネットワークを介して利用可能な装置の中に、スペックや状態の異なる機種を含む複数台の画像読取装置が混在する環境であっても、使用する画像読取装置のユーザによる選択を効果的に支援することができるようにする。【解決手段】  原稿情報ＤＣｉと読み取り条件ＳＰｉとが指定されると、続けて装置情報収集部１４は通信部１３により、ネットワークＮＴを介して、ネットワークＮＴに接続された各外部装置の情報ＥＸｉｓを収集する。ネットワークＮＴに接続されて利用可能な全ての外部装置情報が揃うと、その後、利用可否判定部１５は、各外部装置の情報ＥＸｉｓから原稿情報ＤＣｉと読み取り条件ＳＰｉとに基づいて利用可能な装置の一覧ＥＸＯＫｓを特定する。一覧表示部１６は、利用可否判定部１５による装置特定結果である利用可能な装置の一覧ＥＸＯＫｓの一覧表示を行う。【選択図】  図３
2006197412.tif 000002
【特許請求の範囲】
【請求項１】
画像読み取り機能を備えた画像読取装置がネットワークに複数接続された画像読取システムであって、
入力を受ける入力手段と、
前記入力手段から入力された情報に基づいて利用可能な画像読取装置を判定する判定手段と、
前記判定手段により利用可能と判定された画像読取装置の一覧を表示する表示手段とを備えたことを特徴とする画像読取システム。
【請求項２】
前記判定手段は、前記入力手段から読み取り原稿の指定情報および読み取り条件の指定情報の少なくとも何れかが入力されると、該入力された情報に基づいて利用可能な画像読取装置を判定することを特徴とする請求項１記載の画像読取システム。
【請求項３】
前記ネットワークを介して他の装置の情報を収集する装置情報収集手段を備え、
前記判定手段は、前記装置情報収集手段により収集された情報をさらに用いて利用可能な画像読取装置を判定することを特徴とする請求項２記載の画像読取システム。
【請求項４】
前記判定手段により利用可能と判定された画像読取装置の一覧を、優先度に基づいて最適な順に並べ換えて前記表示手段に表示させる最適判定手段を備えたことを特徴とする請求項１から３の何れか１項に記載の画像読取システム。
【請求項５】
少なくとも前記入力手段と、前記判定手段と、前記表示手段とが、前記ネットワークに接続された画像読取装置に含まれることを特徴とする請求項１から４の何れか１項に記載の画像読取システム。
【請求項６】
画像読み取り機能を備えた画像読取装置がネットワークに複数接続された画像読取システムに用いられる読取装置選択装置であって、
入力を受ける入力手段と、
前記入力手段から入力された情報に基づいて利用可能な画像読取装置を判定する判定手段と、
前記判定手段により利用可能と判定された画像読取装置の一覧を表示する表示手段とを備えたことを特徴とする読取装置選択装置。
【請求項７】
前記判定手段は、前記入力手段から読み取り原稿の指定情報および読み取り条件の指定情報の少なくとも何れかが入力されると、該入力された情報に基づいて利用可能な画像読取装置を判定することを特徴とする請求項６記載の読取装置選択装置。
【請求項８】
前記ネットワークを介して他の装置の情報を収集する装置情報収集手段を備え、
前記判定手段は、前記装置情報収集手段により収集された情報をさらに用いて利用可能な画像読取装置を判定することを特徴とする請求項７記載の読取装置選択装置。
【請求項９】
前記判定手段により利用可能と判定された画像読取装置の一覧を、優先度に基づいて最適な順に並べ換えて前記表示手段に表示させる最適判定手段を備えたことを特徴とする請求項６から８の何れか１項に記載の読取装置選択装置。
【請求項１０】
前記読取装置選択装置が、前記ネットワークに接続された画像読取装置に一体として含まれたことを特徴とする請求項６から９の何れか１項に記載の読取装置選択装置。
【発明の詳細な説明】
【技術分野】
【０００１】
本発明は、複数の画像読取装置が接続された環境に用いられる画像読取システムおよび読取装置選択装置に関する。
【背景技術】
【０００２】
従来より、複数の画像読取装置がネットワークに接続された画像読取システムがある。こうした画像読取システムでは、例えばＭＦＰ（multi-function printer）のスキャナと、ネットワークスキャナとが同じネットワークに接続されているなど、異なる機種を含む複数台の画像読取装置が混在することがある。
【０００３】
こうした画像読取システムなどに用いる画像読取装置として、例えば本出願人による特許文献１のものがある。この特許文献１の画像読取装置は、指定された保存場所に画像データを保存させる保存制御手段を備え、読み取って電子化した印刷物など媒体の画像データを容易に他の場所に転送することができるようにしている。
【特許文献１】特開２００１−３５８８８２号公報
【発明の開示】
【発明が解決しようとする課題】
【０００４】
しかしながら、上述した従来の画像読取システムでは、接続されている画像読取装置どうしの間で、例えば原稿のサイズへの対応、両面原稿対応か否か、カラー原稿対応か否か、解像度といったスペックや、ネットワークトラフィックなどの状態が異なることがある。
こうしたスペックや状態の異なる機種を含む複数台の画像読取装置が混在する状況下では、ユーザが目的とする画像読み取りを行うのに最適な画像読取装置がどれであるかをユーザが識別するためには、ユーザがそれぞれの装置のスペックを把握する必要が生じてしまい、使いこなすに当たっての利便性を欠く虞があった。
【０００５】
また、上述した特許文献１のものは、画像読取装置としてのデータ転送を容易にできるようにする好適なものであるが、スペックや状態の異なる機種を含む複数台の画像読取装置が混在する状況下での利便性の向上についてまで考慮されたものではなかった。
【０００６】
本発明はこのような状況に鑑みてなされたものであり、ネットワークを介して利用可能な装置の中に、スペックや状態の異なる機種を含む複数台の画像読取装置が混在する環境であっても、使用する画像読取装置のユーザによる選択を効果的に支援することができる画像読取システムおよび読取装置選択装置を提供することを目的とする。
【課題を解決するための手段】
【０００７】
かかる目的を達成するために、本発明の第１の態様としての画像読取システムは、画像読み取り機能を備えた画像読取装置がネットワークに複数接続された画像読取システムであって、入力を受ける入力手段と、入力手段から入力された情報に基づいて利用可能な画像読取装置を判定する判定手段と、判定手段により利用可能と判定された画像読取装置の一覧を表示する表示手段とを備えたことを特徴とする。
【０００８】
上記した判定手段は、入力手段から読み取り原稿の指定情報および読み取り条件の指定情報の少なくとも何れかが入力されると、該入力された情報に基づいて利用可能な画像読取装置を判定することが好ましい。
【０００９】
上記したネットワークを介して他の装置の情報を収集する装置情報収集手段を備え、上記した判定手段は、装置情報収集手段により収集された情報をさらに用いて利用可能な画像読取装置を判定することが好ましい。
【００１０】
上記した判定手段により利用可能と判定された画像読取装置の一覧を、優先度に基づいて最適な順に並べ換えて表示手段に表示させる最適判定手段を備えることが好ましい。
【００１１】
少なくとも上記した入力手段と、判定手段と、表示手段とが、ネットワークに接続された画像読取装置に含まれることが好ましい。
【００１２】
また、本発明の第２の態様としての読取装置選択装置は、画像読み取り機能を備えた画像読取装置がネットワークに複数接続された画像読取システムに用いられる読取装置選択装置であって、入力を受ける入力手段と、入力手段から入力された情報に基づいて利用可能な画像読取装置を判定する判定手段と、判定手段により利用可能と判定された画像読取装置の一覧を表示する表示手段とを備えたことを特徴とする。
【００１３】
上記した判定手段は、入力手段から読み取り原稿の指定情報および読み取り条件の指定情報の少なくとも何れかが入力されると、該入力された情報に基づいて利用可能な画像読取装置を判定することが好ましい。
【００１４】
上記したネットワークを介して他の装置の情報を収集する装置情報収集手段を備え、上記した判定手段は、装置情報収集手段により収集された情報をさらに用いて利用可能な画像読取装置を判定することが好ましい。
【００１５】
上記した判定手段により利用可能と判定された画像読取装置の一覧を、優先度に基づいて最適な順に並べ換えて表示手段に表示させる最適判定手段を備えることが好ましい。
【００１６】
読取装置選択装置が、上記したネットワークに接続された画像読取装置に一体として含まれることが好ましい。
【発明の効果】
【００１７】
以上のように、本発明によれば、ネットワークを介して利用可能な装置の中に、スペックや状態の異なる機種を含む複数台の画像読取装置が混在する環境であっても、使用する画像読取装置のユーザによる選択を効果的に支援することができる。
【発明を実施するための最良の形態】
【００１８】
次に、本発明に係る画像読取システムおよび読取装置選択装置を適用した一実施形態について、図面を用いて詳細に説明する。
以下の各実施形態は、ネットワークに接続された画像読取装置の利便性を高める好適なものを例示している。
【００１９】
〔第１の実施形態〕
本発明の第１の実施形態としての画像読取システムは、図１に示すように、画像読取装置ＳＣと、画像読み取り機能を備えた複合装置ＭＦと、複写装置ＣＰと、印刷装置ＰＬと、読取装置選択装置１とが、それぞれネットワークＮＴに接続されて構成されている。
このように、図１に示す画像読取システムの例では、読取装置選択装置１がネットワークＮＴに接続されると共に、画像読み取り機能を備える装置の例として画像読取装置ＳＣと、複合装置ＭＦと、複写装置ＣＰとがネットワークＮＴに接続され、他の装置例として印刷装置ＰＬがネットワークＮＴに接続されている。
【００２０】
画像読取装置ＳＣと、複合装置ＭＦと、複写装置ＣＰとは、それぞれ画像読み取り機能を備え、ネットワークＮＴを介して読取装置選択装置１との間で通信可能となっている。
【００２１】
読取装置選択装置１は、図２に示すように、原稿情報入力部１１と、読み取り条件入力部１２と、通信部１３と、装置情報収集部１４と、利用可否判定部１５と、一覧表示部１６とを少なくとも備えて構成される。
【００２２】
原稿情報入力部１１は、原稿の枚数・原稿のサイズ・両面原稿か否か・カラー原稿か否かの原稿情報の入力を受ける機能を有する。
読み取り条件入力部１２は、カラー／モノクロ、解像度といった読み取り条件の入力を受ける機能を有する。
通信部１３は、外部装置と通信する機能を有する。
装置情報収集部１４は、通信部１３を用いて、ネットワークＮＴに接続された外部装置の機能、性能、状態といった情報を収集する機能を有する。
【００２３】
利用可否判定部１５は、原稿情報入力部１１により入力された原稿情報と、読み取り条件入力部１２により入力された読み取り条件と、装置情報収集部１４により収集した装置情報とに基づいて、利用可能な装置を判定する機能を有する。
一覧表示部１６は、利用可否判定部１５により判定された利用可能な装置一覧を表示する機能を有する。
【００２４】
次に、本発明の第１の実施形態の読取装置選択装置１の動作について、図３のフローチャートを参照して説明する。
以下の動作説明で用いられる用語の説明として、原稿情報ＤＣｉとは、原稿の枚数・原稿のサイズ・両面原稿か否か・カラー原稿か否かといった情報を指す。
読み取り条件ＳＰｉとは、カラー／モノクロ、解像度の情報を指す。
各外部装置の情報ＥＸｉｓとは、各装置の識別子・機能・性能・状態といった情報を指す。
利用可能な装置の一覧ＥＸＯＫｓとは、各装置の識別子・性能・状態を指す。
【００２５】
まず、読取装置選択装置１は、本処理が開始されると、利用者が原稿情報入力部１１により原稿情報ＤＣｉを指定するまで待ち（ステップＳ１）、さらに読み取り条件入力部１２により読み取り条件ＳＰｉを指定するのを待つ（ステップＳ２）。こうして原稿情報ＤＣｉと読み取り条件ＳＰｉとが指定されると、続けて装置情報収集部１４は通信部１３により、ネットワークＮＴを介して、ネットワークＮＴに接続された各外部装置の情報ＥＸｉｓを収集する（ステップＳ３）。
【００２６】
ネットワークＮＴに接続されて利用可能な全ての外部装置情報が揃うと（ステップＳ４；Ｙｅｓ）、その後、利用可否判定部１５は、各外部装置の情報ＥＸｉｓから原稿情報ＤＣｉと読み取り条件ＳＰｉとに基づいて利用可能な装置の一覧ＥＸＯＫｓを特定する（ステップＳ５）。
最後に、一覧表示部１６は、利用可否判定部１５による装置特定結果である利用可能な装置の一覧ＥＸＯＫｓの一覧表示を行う（ステップＳ６）。
【００２７】
このようにして読取装置選択装置１が利用可能な装置の一覧ＥＸＯＫｓの一覧表示を行うことにより、利用者は利用可能な装置の一覧情報を簡単な操作のみで取得することができる。この後、利用可能な装置の一覧情報から利用者が何れかの装置を目的に応じて選択することで、その装置に読み取り動作を行わせることができる。
図１に示す例では、利用者が複写装置ＣＰを選択してアクセスし、画像読み取りを行う場合について示している。
【００２８】
以上のように、本実施形態としての読取装置選択装置１は、異なる機種を含む複数台の画像読取装置および画像読取機能を有する複合装置がネットワークに接続されている環境において、原稿情報と読み取り条件を入力する手段と、その入力手段により入力された内容に基づいて利用可能な装置を判定する手段と、その利用可能な装置の一覧を、それぞれの状態と性能を併せて表示させる表示手段とを有する。
【００２９】
このことにより、本実施形態としての読取装置選択装置１によれば、画像読取を行う原稿の情報ＤＣｉと読み取り条件ＳＰｉとに基づいて、要求する内容を実現可能な装置を提示することができるため、利用者は、画像読み取り機能を備えた複数台の装置の中から利用できる装置を簡単に特定することができる。
【００３０】
このため、本実施形態としての画像読取システムによれば、画像読み取り機能を備えた装置がネットワークに複数接続された環境であっても、それらの装置の中から要求する内容の画像読取が実現できる装置を利用者が簡単に特定することができる。
【００３１】
〔第２の実施形態〕
次に、本発明の第２の実施形態としての画像読取システムについて説明する。この第２の実施形態は、上述した第１の実施形態における読取装置選択装置１の機能に加え、読み取り条件に優先度を設定することでより適した画像読取装置を判定できるようにしたものである。
上述した第１の実施形態と同様のものについては同符号とし、説明を省略する。
【００３２】
本発明の第２の実施形態としての画像読取システムは、図４に示すように、画像読取装置ＳＣと、画像読み取り機能を備えた複合装置ＭＦと、複写装置ＣＰと、印刷装置ＰＬと、第２の実施形態としての読取装置選択装置２とが、それぞれネットワークＮＴに接続されて構成されている。
【００３３】
読取装置選択装置２は、図５に示すように、原稿情報入力部１１と、読み取り条件入力部１２と、通信部１３と、装置情報収集部１４と、利用可否判定部１５と、一覧表示部１６と、優先度入力部２７と、最適判定部２８とを少なくとも備えて構成される。
【００３４】
優先度入力部２７は、画像読取時の画質、または処理時間の優先度の入力を受ける機能を有する。
最適判定部２８は、優先度入力部２７により入力された優先度と、利用可否判定部１５における判定結果とに基づいてより適した画像読取装置を判定する機能を有する。
【００３５】
次に、本発明の第２の実施形態の読取装置選択装置２の動作について、図６のフローチャートを参照して説明する。
以下の動作説明で新たに用いられる用語の説明として、優先順序情報ＰＲｉとは、読み取り時の画質か、処理時間かのどちらを優先させるかといった情報を指す。
最適な順に並んだ装置の一覧ＥＸＯＫｓｐとは、利用可能な装置の一覧ＥＸＯＫｓと同様の内容を、優先順序情報ＰＲｉに基づいて最適な順に並べ換えたものを指す。
【００３６】
まず、読取装置選択装置２は、本処理が開始されると、利用者が原稿情報入力部１１により原稿情報ＤＣｉを指定するまで待ち（ステップＳ１１）、続けて読み取り条件入力部１２により読み取り条件ＳＰｉを指定するのを待ち（ステップＳ１２）、さらに優先度入力部２７により優先順序情報ＰＲｉを指定するのを待つ（ステップＳ１３）。
【００３７】
こうして原稿情報ＤＣｉと、読み取り条件ＳＰｉと、優先順序情報ＰＲｉとが指定されると、続けて装置情報収集部１４は通信部１３により、ネットワークＮＴを介して、ネットワークＮＴに接続された各外部装置の情報ＥＸｉｓを収集する（ステップＳ１４）。
ネットワークＮＴに接続されて利用可能な全ての外部装置情報が揃うと（ステップＳ１５；Ｙｅｓ）、その後、利用可否判定部１５は、各外部装置の情報ＥＸｉｓから原稿情報ＤＣｉと読み取り条件ＳＰｉとに基づいて利用可能な装置の情報ＥＸＯＫｓを特定する（ステップＳ１６）。
【００３８】
次に、最適判定部２８は、利用可能な装置の情報ＥＸＯＫｓを優先順序情報ＰＲｉに基づいて最適な順に並んだ装置の一覧ＥＸＯＫｓｐに並べ替える（ステップＳ１７）。
一覧表示部１６は、こうして並べ替えられた装置の一覧ＥＸＯＫｓｐの一覧表示を行う（ステップＳ１８）。
【００３９】
このようにして読取装置選択装置２が最適な順に並んだ装置の一覧ＥＸＯＫｓｐの一覧表示を行うことにより、利用者は最適な順に並んだ装置の一覧情報を簡単な操作のみで取得することができる。この後、最適な順に並んだ装置の一覧情報から利用者が何れかの装置を目的に応じて選択することで、その装置に読み取り動作を行わせることができる。
図４に示す例では、利用者が複写装置ＣＰを選択してアクセスし、画像読み取りを行う場合について示している。
【００４０】
以上のように、本実施形態としての読取装置選択装置２は、異なる機種を含む複数台の画像読取装置および画像読取機能を有する複合装置がネットワークに接続されている環境において、原稿情報と優先度をつけた読み取り条件を入力する手段と、その入力手段により入力された内容に基づいて利用可能な装置を判定する手段と、その利用可能な装置を優先度に従って最適な装置を判定する手段と、その利用可能な装置の一覧を、それぞれの状態と性能を併せて最適な順に従って表示させる表示手段とを有する。
【００４１】
このことにより、本発明の第２の実施形態としての読取装置選択装置２によれば、画像読取を行う原稿の情報ＤＣｉと読み取り条件ＳＰｉと、読み取り条件における優先度（優先順序情報ＰＲｉ）に基づいて、要求する内容を実現可能な装置を最適な順に並べて提示することができるため、利用者は、画像読み取り機能を備えた複数台の装置の中から利用するのに最も適した装置を簡単に特定することができる。
【００４２】
このため、本実施形態としての画像読取システムによれば、画像読み取り機能を備えた装置がネットワークに複数接続された環境であっても、それらの装置の中から要求する内容の画像読取が実現できる装置を利用者が間単に特定することができると共に、その要求する内容を実現するに当たってより適した装置を提示することができる。
【００４３】
〔第３の実施形態〕
次に、本発明の第３の実施形態としての画像読取システムについて説明する。この第３の実施形態は、上述した第１の実施形態における読取装置選択装置１が、画像読み取り機能を備えた装置に一体となって搭載されている場合を示すものである。
上述した第１の実施形態と同様のものについては同符号とし、説明を省略する。
【００４４】
本発明の第３の実施形態としての画像読取システムは、図７に示すように、画像読取装置ＳＣ’と、画像読み取り機能を備えた複合装置ＭＦ’と、複写装置ＣＰと、印刷装置ＰＬとが、それぞれネットワークＮＴに接続されて構成されている。
この図７に示す例では、画像読取装置ＳＣ’と、画像読み取り機能を備えた複合装置ＭＦ’とが、上述した第１の実施形態における読取装置選択装置１を一体として備えている。
【００４５】
次に、第３の実施形態としての画像読取システムの動作について、図７に示す例を参照して説明する。
利用者は画像読取装置の選択を行う際に、まず画像読取装置ＳＣに組み込まれた読取装置選択装置１にアクセスし、読取装置選択装置１が表示した利用可能な装置の一覧ＥＸＯＫｓの中から選択した装置により画像読取を行うこととなる。
図７に示す例では、利用可能な装置の一覧ＥＸＯＫｓの中からユーザが画像読取装置ＳＣ’を選択して画像読取を行う場合について示しており、この例のように場合によっては、複数の装置にアクセスすることなく、画像読取装置の選択と画像読取操作とを行うことができるため、利用者にとっての利便性を高めることができる。
【００４６】
以上のように、本発明の第３の実施形態としての画像読取システムによれば、ネットワークに接続されている異なる機種を含む複数台の画像読取装置および画像読取機能を有する複合装置の少なくとも１つが、上述した第１の実施形態における読取装置選択装置１を一体として搭載しているため、利用者にとっての利便性を高めることができ、また導入コスト、保守コストを低減することができる。
【００４７】
なお、上述した第３の実施形態では、画像読取装置ＳＣ’と、画像読み取り機能を備えた複合装置ＭＦ’とが、上述した第１の実施形態における読取装置選択装置１を一体として備えている場合について説明したが、読取装置選択装置１を一体として備えるのは画像読み取り機能を備えた装置であれば他の装置であっても同様に実現することができる。
【００４８】
また、上述した第３の実施形態では、上述した第１の実施形態における読取装置選択装置１が、画像読み取り機能を備えた装置に一体となって搭載されている場合について説明したが、画像読み取り機能を備えた装置に一体となって搭載されるのが上述した第２の実施形態における読取装置選択装置２であっても、上述した第３の実施形態と同様に実現することができる。
【００４９】
このように、ネットワークに接続されている異なる機種を含む複数台の画像読取装置および画像読取機能を有する複合装置の少なくとも１つが、上述した第２の実施形態における読取装置選択装置２を一体として搭載する構成とすることによれば、画像読取を行う原稿の情報と読み取り条件およびその優先度を指定する装置が、画像読み取り機能を備えた装置と一体化していることとなるため、利用者にとっての利便性を高めることができ、また導入コスト、保守コストを低減することができる。
【００５０】
以上のように、本発明の第３の実施形態によれば、ネットワークに接続されている異なる機種を含む複数台の画像読取装置および画像読取機能を有する複合装置の少なくとも１つが、上述した第１または第２の実施形態における読取装置選択装置を一体として組み込んでいることで、原稿の読み取りを行うにあたって利用しやすい環境をユーザに提供することができるとともに、専用の読取装置選択装置を設ける必要がなくなるため、本発明に係る画像読取システムを比較的安価に実現することができる。
【００５１】
なお、上述した各実施形態は本発明の好適な実施形態であり、本発明はこれに限定されることなく、本発明の技術的思想に基づいて種々変形して実施することが可能である。
例えば、利用可否判定部１５は、原稿情報入力部１１により入力された原稿情報と、読み取り条件入力部１２により入力された読み取り条件と、装置情報収集部１４により収集した装置情報とに基づいて、利用可能な装置を判定することとして説明したが、原稿情報入力部１１により入力された原稿情報と、読み取り条件入力部１２により入力された読み取り条件情報との少なくとも何れかの情報に加え、装置情報収集部１４により収集した装置情報を用いることで、利用可能な装置を判定する構成であってもよい。
このことによれば、原稿情報入力部１１により入力された原稿情報と、読み取り条件入力部１２により入力された読み取り条件情報との少なくとも何れかに基づいて利用可能な装置を判定し、表示させることができる。
【図面の簡単な説明】
【００５２】
【図１】本発明の第１の実施形態としての画像読取システムの構成例と利用例を示すブロック図である。
【図２】本発明の第１の実施形態における読取装置選択装置１の構成例を示すブロック図である。
【図３】該読取装置選択装置１の動作例を示すフローチャートである。
【図４】本発明の第２の実施形態としての画像読取システムの構成例と利用例を示すブロック図である。
【図５】本発明の第２の実施形態における読取装置選択装置２の構成例を示すブロック図である。
【図６】該読取装置選択装置２の動作例を示すフローチャートである。
【図７】本発明の第３の実施形態としての画像読取システムの構成例と利用例を示すブロック図である。
【符号の説明】
【００５３】
１、２    読取装置選択装置
１１    原稿情報入力部（入力手段の一例）
１２    読み取り条件入力部（入力手段の一例）
１３    通信部
１４    装置情報収集部
１５    利用可否判定部（判定手段の一例）
１６    一覧表示部（表示手段の一例）
２７    優先度入力部（入力手段の一例）
２８    最適判定部
【図１】
2006197412.tif 000003
【図２】
2006197412.tif 000004
【図３】
2006197412.tif 000005
【図４】
2006197412.tif 000006
【図５】
2006197412.tif 000007
【図６】
2006197412.tif 000008
【図７】
2006197412.tif 000009